(57)【要約】【課題】箱形罠装置を仕掛ける際に、罠本体の一部を土中に埋めた設置形態に対応できるような構造として、罠の露出をできるだけ少なくできるようにすると共に、餌を仕掛ける位置を罠本体の奥側に設けても餌が罠の外の動物から見えやすいようにして捕獲率を向上させた、箱形の罠装置を提供する。【解決手段】箱形罠装置は、開閉自在な観音開き構造の扉板１５、１６を有する箱形の罠本体１と、罠本体１への動物の進入を感知する餌入れ２５と、餌入れ２５による感知により扉板１５、１６を閉じ方向に作動させるトリガー装置２と、扉板１５、１６が閉じた後で、扉板１５、１６が開かないようにする開扉防止体３とを有し、罠本体１に設けられている扉板は、罠本体１の天部側に形成された、動物が進入できる進入口１９の縁部に、進入口１９を開閉できるように取り付けられている。【選択図】図３
2014132877.tif 000002
【特許請求の範囲】
【請求項１】
箱形の罠本体の天部を除いた一部又は全部を土中に埋めて仕掛けるようにした箱形罠装置であって、
前記罠本体の天部に形成され、動物が進入できる進入口と、
当該進入口の縁部に取り付けられ、前記進入口を開閉することができる扉と、
前記罠本体内部に進入した動物を感知する感知手段と、
罠セット時において、当該感知手段の感知により作動し、前記扉を閉じ方向に動かすトリガー装置と、
罠作動時において、前記扉が閉じた後、前記扉が開き方向へ動かないようにする開扉防止手段と、
を備えている、
箱形罠装置。
【請求項２】
扉が観音開き構造であり、
トリガー装置が、
罠本体の扉の取付側とは異なる側の端部に上下方向に設けられたガイド部材と、
当該ガイド部材に沿って昇降自在で、罠セット時において前記扉の閉じ方向の動きを止める扉掛止部を有する錘体と、
を有し、
罠作動時に、前記錘体が落下することにより前記扉掛止部が前記扉から外れて前記扉が閉じる、
請求項１記載の箱形罠装置。
【請求項３】
扉を閉じ方向へ付勢する付勢手段を有する、
請求項１又は２記載の箱形罠装置。
【請求項４】
感知手段が、罠本体内部に進入した動物が餌を食べる動作により動かされることによってトリガー装置を作動させる餌入れであり、
当該餌入れが、前記罠本体内部の一方の端部に配置されている、
請求項１、２又は３記載の箱形罠装置。
【請求項５】
開扉防止手段が、上部を中心として軸着され上下方向に回動できる開扉防止体を有し、
当該開扉防止体を、開いた状態の扉の上端に先端を載置した罠セット時から、罠作動時に前記開扉防止体を前記扉の閉じ方向への動きに伴い下方へ下降回動させ、閉じた扉の上面近傍に前記開扉防止体の先端を位置させる、
請求項１、２、３又は４記載の箱形罠装置。
【発明の詳細な説明】
【技術分野】
【０００１】
本発明は、動物用の箱形罠装置に関するものである。
更に詳しくは、箱形の罠装置を仕掛ける際に、罠本体の天部を除く一部又は全部を土中に埋めた設置形態に対応できる構造とし、罠の露出をできるだけ少なくできるようにして捕獲率を向上させたものに関する。
【背景技術】
【０００２】
アライグマ、キツネ、イタチあるいはテン等の小動物用の捕獲装置としては、例えば箱形の罠本体の開口部に落とし扉を設け、進入した小動物を赤外線等を利用したセンサで検出したり、小動物が餌や餌箱を動かすときのその動きを機械的に検出して、落とし扉を落として閉じることにより、小動物を捕獲する箱形罠装置が使用されている。そのような箱形罠装置としては、例えば特許文献１に開示されたものがある。
【０００３】
特許文献１記載の箱形罠装置は、罠本体と、落下式の扉と、扉を作動させるトリガーを有し、扉には、トリガーを構成する係合挿入部と協働して扉の仕掛け高さを調節するための複数の係合受部が設けられ、餌箱の動きを感知したトリガーが作動して扉が落下したときには、係合挿入部が扉の上側に突出して扉が上がるの防止できるようになっており、捕獲する小動物の種類に合わせて落下式の扉をセットする高さを好適に調節することで、獲物が小さく俊敏な小動物であっても捕獲できるようにするというものである。
【先行技術文献】
【特許文献】
【０００４】
【特許文献１】特開２０１２−３９９２８号公報
【発明の概要】
【発明が解決しようとする課題】
【０００５】
前記従来の箱形罠装置は、小さく俊敏な小動物を捕獲するという点では十分に機能的であり有用である。しかしながら、箱形の罠装置としては、次の点で更に改良の余地があることがわかった。
【０００６】
すなわち、罠本体において、動物の進入口となる扉が設けられている部分は、罠の正面側に鉛直方向に設けられている。したがって、罠を仕掛ける際には、動物が進入口から入りやすいように、罠を地面の上に載置して仕掛ける必要がある。このようにして罠を仕掛けると、罠の露出を少なくするため木枝等でカムフラージュしても、動物が強く警戒してしまうため、罠にかかりにくくなる問題があった。
【０００７】
また、罠は、動物をできるだけ奥に誘い込むために、トリガーを作動させる餌箱が罠本体の奥側に配置されている。この構造により、餌の位置が、開口している進入口側から遠く、暗くなっているため、動物は夜行性である場合も含め、罠の外から餌が見えにくい。このため、動物が臭いを嗅ぎ取って餌に興味を示しても、警戒してなかなか罠本体の中に入ろうとしないところがあり、この点でも捕獲率を低下させてしまう可能性があった。
【０００８】
（本発明の目的）
本発明は、箱形の罠装置を仕掛ける際に、罠本体の天部を除く一部又は全部を土中に埋めた設置形態に対応できる構造として、罠の露出をできるだけ少なくできるようにし、捕獲率を向上させた箱形罠装置を提供することを目的とする。
また、本発明の他の目的は、前記目的に加えて、餌を仕掛ける位置を罠本体の奥側に設けても、餌が罠の外の動物から見えやすいようにして動物の警戒心を和らげることで、捕獲率を向上させた箱形罠装置を提供することである。
【課題を解決するための手段】
【０００９】
上記課題を解決するために本発明が講じた手段は次のとおりである。
（１）本発明は、
箱形の罠本体の天部を除いた一部又は全部を土中に埋めて仕掛けるようにした箱形罠装置であって、
前記罠本体の天部に形成され、動物が進入できる進入口と、
当該進入口の縁部に取り付けられ、前記進入口を開閉することができる扉と、
前記罠本体内部に進入した動物を感知する感知手段と、
罠セット時において、当該感知手段の感知により作動し、前記扉を閉じ方向に動かすトリガー装置と、
罠作動時において、前記扉が閉じた後、前記扉が開き方向へ動かないようにする開扉防止手段と、
を備えている、箱形罠装置である。
【００１０】
（２）本発明は、
扉が観音開き構造であり、
トリガー装置が、
罠本体の扉の取付側とは異なる側の端部に上下方向に設けられたガイド部材と、
当該ガイド部材に沿って昇降自在で、罠セット時において前記扉の閉じ方向の動きを止める扉掛止部を有する錘体と、
を有し、
罠作動時に、前記錘体が落下することにより前記扉掛止部が前記扉から外れて前記扉が閉じる、のが好ましく、推奨される。
【００１１】
（３）本発明は、
扉を閉じ方向へ付勢する付勢手段を有する、のが好ましく、推奨される。
【００１２】
（４）本発明は、
感知手段が、罠本体内部に進入した動物が餌を食べる動作により動かされることによってトリガー装置を作動させる餌入れであり、
当該餌入れが、前記罠本体内部の一方の端部に配置されている、のが好ましく、推奨される。
【００１３】
（５）本発明は、
開扉防止手段が、上部を中心として軸着され上下方向に回動できる開扉防止体を有し、
当該開扉防止体を、開いた状態の扉の上端に先端を載置した罠セット時から、罠作動時に前記開扉防止体を前記扉の閉じ方向への動きに伴い下方へ下降回動させ、閉じた扉の上面近傍に前記開扉防止体の先端を位置させる、のが好ましく、推奨される。
【００１４】
扉の構造は、観音開き（両開き）構造の他、一枚の扉が片側で回動自在に取り付けられた片開き構造を採用することもできる。
感知手段は、罠本体内部に進入した動物が餌を食べる動作により動かされることによってトリガー装置を作動させる餌入れ以外にも、引っ張りワイヤ等を使用した他の機械的な公知手段を採用することができる。また、赤外線センサ等の電気的な公知手段を採用することもできる。
【００１５】
（作用）
本発明に係る箱形罠装置の作用を説明する。
まず、箱形罠装置を仕掛ける箇所の地面に、罠本体の天部を除く一部又は全体が収まる大きさの仕掛け穴を掘り、仕掛け穴に箱形罠装置を収容する。
そして、箱形罠装置の扉とトリガー装置及び感知手段をセットして仕掛ける。箱形罠装置を仕掛けた状態では、罠本体の天部を除く一部又は全体が土中に隠れて露出していないので、動物の警戒心を和らげることができる。
【００１６】
また、箱形罠装置は、動物が進入できる進入口が罠本体の天部側に形成されているので、罠本体の奥側に餌を置いて仕掛けた場合でも、動物は夜行性の場合も含め、罠の外部から罠本体の内部と餌を見て確認しやすい。
したがって、従来の罠のように進入口が正面側にあり罠本体の内部や餌が見えにくい罠本体に進入させる場合と比較して、警戒心を和らげることができるので、動物は進入口から罠本体の内部に進入しやすい。
【００１７】
罠本体の内部に進入した動物を感知手段が感知すると、それによってトリガー装置が作動し、扉が閉じ方向に作動する。閉じた扉は、開扉防止手段によってロックされて開き方向へは動かないようになり、罠本体内部の動物は閉じ込められて捕獲される。
【００１８】
扉が観音開き構造であるものは、進入口の大きさが同じであれば、例えば片開きの一枚扉と比較して、扉の幅が狭くなる。これにより、扉を開けてセットした後、罠が作動したときの扉が閉じるまでの時間がより短くなり、動物が逃げる可能性をより低くすることができるので、捕獲率の向上に貢献できる。
【００１９】
感知手段が、罠本体内部に進入した動物が餌を食べる動作により動かされることによってトリガー装置を作動させる餌入れであり、当該餌入れが、前記罠本体内部の一方の端部に配置されているものは、動物が餌を食べる際に警戒心が散漫になることを利用することにより、罠が作動したときの動物の逃げ出しが遅れるので、捕獲率の向上につなげることができる。また、餌入れが罠本体内部の一方の端部に配置されているので、誘い込まれた動物が餌入れの餌を食べるときには、動物の身体全体が罠本体に入っており、この点からも動物は罠作動時において逃げ出しにくい。
【００２０】
開扉防止手段が、上部を中心として軸着され上下方向に回動できる開扉防止体を有し、
当該開扉防止体を、開いた状態の扉の上端に先端を載置した罠セット時から、罠作動時に前記開扉防止体を前記扉の閉じ方向への動きに伴い下方へ下降回動させ、閉じた扉の上面近傍に前記開扉防止体の先端を位置させるものは、開扉防止体が扉の開き方向への動きを止めることができるので、これにより扉が閉じた状態を維持でき、捕獲後の動物が逃げ出すことを防止できる。
【発明の効果】
【００２１】
本発明は、箱形の罠本体の天部側に進入口とこれを開閉する扉が設けられているので、箱形罠装置を仕掛ける際に、罠本体の下部側の一部又は罠本体の天部側を除きほぼ全体を土中に埋めた設置形態で罠を仕掛けることが可能になる。これにより、従来の箱形罠装置と比較して、罠の露出をより少なくすることができる。
また、餌を仕掛ける位置を罠本体の奥側に設けた場合においても、進入口の開口部分が正面側に設けられている従来の箱形罠装置に比べて、進入口の開口部分が餌の位置により近いので、餌が罠の外の動物から見えやすい。
したがって、仕掛けた状態の箱形罠装置に対する動物の警戒心を和らげることが可能になり、捕獲率の向上が期待できる。
【図面の簡単な説明】
【００２２】
【図１】本発明に係る箱形罠装置の一実施の形態を示し、トリガー装置を解除し扉板を閉じた状態を示す正面側から見た斜視図。
【図２】図１の箱形罠装置を背面側から見た斜視図。
【図３】箱形罠装置の扉を開いてトリガー装置をセットした状態を示す正面側から見た斜視図。
【図４】図３に示す状態の箱形罠装置の縦断面説明図。
【図５】箱形罠装置を仕掛けた状態を示す断面説明図。
【図６】箱形罠装置のトリガー装置と扉板をセットする手順を示す説明図。
【図７】箱形罠装置の作動時におけるトリガー装置の作動の違いによる錘体の扉押さえ部材と各扉板との重なりの各パターンを表す説明図。
【発明を実施するための形態】
【００２３】
〔実施の形態〕
【００２４】
本発明を図面に示した実施の形態に基づき詳細に説明する。
図１ないし図４を参照する。
動物用の箱形罠装置Ａは、罠本体１、トリガー装置２及び開扉防止体３を備えている。
【００２５】
罠本体１は、鋼板で形成された長方形状の底板１０、正方形状の正面板１１、背面板１２、長方形状の側面板１３、１４及び観音開き構造の二枚の扉板１５、１６により箱形に形成されている。前記各板１０、１１、１２、１３、１４はネジ止め構造により分解組立が可能な構造を有している。罠本体１の大きさや深さは特に限定するものではなく、捕獲する目的獣に合わせて適宜設定することができる。
【００２６】
正面板１１の上部には、搬送用の把手１１０が取り付けられている。また、正面板１１の上端縁部には、水平な板部１１１ａを後方へ向け、且つ水平な板部１１１ａを後記する取付板１３０、１４０の上縁部とほぼ面一の高さにして、Ｌ板（アングル）形状の掛止板１１１が固定されている。
【００２７】
背面板１２の内面側には、後記するようにトリガー装置２のガイド部材２０、２０ａが取り付けられる。側面板１３、１４の上縁部には、Ｌ板（アングル）形状の取付板１３０、１４０が固定されている。取付板１３０、１４０は、側面板１３、１４とほぼ同じ長さに形成されており、それぞれＬ形の開放側を外方へ向け、各板部が水平方向と鉛直方向を向くように固定されている。
【００２８】
罠本体１は、天部に前記正面板１１、背面板１２及び側面板１３、１４の上端縁部で形成された長方形状の進入口１９を備えている。進入口１９は、罠を仕掛けたときに、動物が進入する開口部となる。側面板１３、１４の上部側には、後記するように扉板１５、１６が進入口１９を開閉できるように回動自在に取り付けられている。
【００２９】
扉板１５、１６は、面対称構造であり、扉板１５、１６を閉じた配置状態において、合わせ部を対称面として面対称となっている。
また、扉板１５、１６は、短手方向の両端側の縁部に、ほぼ全長にわたり互いに異なる方向へ直角に折り曲げられた補強部１５０、１５１及び補強部１６０、１６１を有している。
【００３０】
扉板１５、１６の前記取付板１３０、１４０に対する取付側の補強部１５０、１６０は、扉板１５、１６を閉じた状態で罠本体１内部側となる方向へ折り曲げられ、合わせ側の補強部１５１、１６１は、罠本体１外部側となる方向へ折り曲げられている。合わせ側の補強部１５１、１６１において前記背面板１２側の端部には、開扉防止体３が下降回動したとき、その先端部が収まるように、一部を切り欠いた切欠部１５２、１６２が形成されている。
【００３１】
扉板１５、１６の背面方向の端部には、後記する錘板２３に固定されている扉押さえ部材２６の扉掛止部２６１と掛止する掛止部１５６、１６６が形成されている。掛止部１５６、１６６は、板に切込みを入れて内側へやや曲げることで、各扉掛止部２６１と掛止しやすくした構成としている。なお、掛止部１５６、１６６の曲がり角度を適宜設定し、扉掛止部２６１が外れるときの抵抗を調節することで、トリガー装置２の感度を調節することができる。
【００３２】
扉板１５、１６は、取付板１３０、１４０に対して、それぞれ二箇所を蝶番１３１及び蝶番１４１を介し開閉方向に回動自在に取り付けられている。また、扉板１５、１６は、各蝶番１３１、１４１に取り付けられている付勢体である捻りコイルバネ１８によって内周り方向（開いた状態から閉じる方向）に付勢されている。
【００３３】
なお、扉板１５、１６の取付側の補強部１５０、１６０の正面側と背面側の端部は、部を切り欠いた形状となっており、正面側においては前記掛止板１１１の水平な板部１１１ａに当たらないようにしている。
【００３４】
扉板１５、１６の長手方向の中央部には、開口部（符号省略）を枠に嵌め入れたプラスチック板で塞いだ構造の覗き窓１５３、１６３が形成されている。また、覗き窓１５３、１６３において、前記補強部１５１、１６１寄りには、扉板１５、１６を開く際に使用する把手１５４、１６４が取り付けられている。
【００３５】
扉板１５、１６の正面側の端部寄り、且つ補強部１５１、１６１寄りには、開扉防止手段を構成するロック装置１５５、１６５が取り付けられている。ロック装置１５５、１６５は、扉板１５、１６の上面側から内面側へ貫通して取り付けられ、基枠体（符号省略）に前記掛止板１１１方向へ進退自在に掛止体（符号省略）を設け、掛止体を前記掛止板１１１方向へバネで付勢した公知構造のものである。
【００３６】
ロック装置１５５、１６５は、扉板１５、１６が開状態から回動し閉状態となったときに、掛止体が自動的に掛止板１１１の水平な板部１１１ａに掛止し、これにより扉板１５、１６が上方へ回動して開かないようにロックするものである。なお、ロックしたロック装置１５５、１６５は、掛止体を背面方向へ押せば、ロックを解除できるものである。
【００３７】
罠本体１の後部側には、扉板１５、１６を開けて進入口１９を開口した仕掛け状態を解除し、扉板１５、１６を閉じる方向へ作動させるトリガー装置２が設けられている。トリガー装置２は、前記側面板１３、１４の背面方向の端部の内面側、且つ背面板１２の内面近傍に相対して二箇所に設けられた鉛直方向のガイド部材２０、２０ａを有している。
【００３８】
ガイド部材２０、２０ａは、Ｌ板様に形成され、内側に突出した板部２１、２１ａは二枚構造に形成されている。二枚構造の板の間には、ガイド溝２２、２２ａが形成されている。なお、ガイド部材２０、２０ａは、罠本体１の高さの約二倍の長さ（高さ）を有している。
【００３９】
ガイド部材２０、２０ａの間には、長方形の錘体である錘板２３が両端側をガイド溝２２、２２ａに差し込んで、上下方向へスライド自在に嵌装されている。錘板２３の上端部寄りの後面側には、錘板２３の操作用の把手２４が固定されている。なお、錘板２３の上下方向の長さは、罠本体１の高さとほぼ同じ長さに形成され、錘板２３が下降するときは、把手２４が背面板１２の上端縁に当たって、錘板２３が底板１０からやや浮いた位置で停止するようになっている（図６参照）。
【００４０】
また、錘板２３の内面側の上端部には、Ｌ板形状の扉押さえ部材２６がＬ形の開放側を正面方向へ向けて固定されている。扉押さえ部材２６の水平な板部は、罠が作動して扉板１５、１６が閉じ、錘板２３が下降したときに、扉板１５、１６を押さえる押さえ部２６０である。押さえ部２６０の長手方向の両端部の二箇所には、前記扉板１５、１６の各掛止部１５６、１６６と掛止する扉掛止部２６１が形成されている。
【００４１】
側面板１３、１４の中段部には、感知手段であり仕掛けの際に餌を入れる（載せる）餌入れ２５が取り付けられている。餌入れ２５は、長方形状の平板である載せ板２５０を有し、載せ板２５０の正面方向の端部の上面には、載せ板２５０の幅と同じ長さの掛かり板２５１が直角に固定されている。また、載せ板２５０の背面方向の端部寄りの左右両側の端部の二箇所には、所定の高さの脚板２５２が下方へ向け直角に形成されている。餌入れ２５は、各脚板２５２の下部を取付軸２５３を介し、取付軸２５３を中心に上下方向に回動自在に取り付けられている。
【００４２】
餌入れ２５の載せ板２５０の背面方向の端部には、取付軸２５３より背面方向側、且つ水平状態において前記ガイド溝２２、２２ａに届くように延長して受部２５０ａが形成されている。なお、餌入れ２５に載せ板２５０の正面方向への長さを調節する機構を設けることにより、感知手段としての感度を調節することができる。
【００４３】
ガイド部材２０、２０ａの上端部には、正面方向へ水平に突出してブラケット２００、２０１が固定されている。各ブラケット２００、２０１には、前記ロック装置１５５、１６５と共に開扉防止手段を構成する開扉防止体３が取り付けられている。
開扉防止体３は、平行に設けられた二本の腕部材３０、３１と、腕部材３０、３１の先端部、中間部及び基部寄りを繋いで補強するリブ３２、３３、３４で構成されている。先端部のリブ３２は、他のリブ３３、３４よりやや長く腕部材３０、３１からやや張り出すように形成されている。
【００４４】
基部寄りのリブ３４の正面側の中央には、リブ３４及び腕部材３０、３１と直角に止め板３５が形成されている。止め板３５は、後記するように罠セット時に錘板２３を上方に移動させた際に、適当な角度に設定した止め板３５を錘板２３の押さえ部材２６下面に引っ掛けて仮止めし、セット作業をしやすくするものである（図６の上部参照）。
【００４５】
開扉防止体３は、腕部材３０、３１の両基部を各ブラケット２００、２０１に対して取付軸２０２を介し取り付けられており、上下方向へ回動自在である。なお、腕部材３０、３１の長さは、罠作動時において開扉防止体３が下方へ回動して垂下したときに、先端部のリブ３２が閉じた状態の前記扉板１５、１６のやや上方に位置するように設定されている。
【００４６】
一方のブラケット２０１には、腕部材３１の基部と協働して開扉防止体３を所定の角度で仮止めするための公知の掛止機構部２０３を備えている。開扉防止体３を仮止めした後、掛止機構部２０３による掛止状態を解除すれば、開扉防止体３を自重により下降回動させることができる。なお、掛止機構部２０３は、罠作動時、開扉防止体３が下降回動するときに上方へ戻り回動しないようにするラッチ機構を有している。
【００４７】
また、ガイド部材２０、２０ａの上端からやや下方位置には、前記扉板１５、１６を開いてセットするときに、開いた状態で仮止めをするための仮止め具２０４が設けられている。仮止め具２０４は、上下方向に回動自在に軸着され、正面方向へ向け突出させることができる構造を有している。
【００４８】
（作用）
図１ないし図７を参照して箱形罠装置Ａの作用を説明する。
まず、箱形罠装置Ａを仕掛ける箇所の地面４に、罠本体１がちょうど収まる大きさの仕掛け穴４０を掘り、仕掛け穴４０に箱形罠装置Ａを収容する。
【００４９】
なお、仕掛け穴４０に箱形罠装置Ａを直接収容せずに、例えば木板や合成樹脂で形成され上部か開口した側面が平板状の箱を仕掛け穴４０に入れ、この箱に箱形罠装置Ａを収容すれば、仕掛け穴４０内面の凹凸が邪魔にならず、罠作動後の箱形罠装置Ａの取り出しが容易にできる。
【００５０】
仕掛け穴は、必ずしも罠本体１が収まる大きさでなくてもよく、罠本体１の下部側の一部又は天部を除く全部が収まる大きさに形成することもできる。罠本体１の下部側の一部を埋設した場合は、箱形罠装置Ａの正面側に土を盛って罠本体１の進入口１９に繋がる斜面を形成する。
【００５１】
また、箱形罠装置Ａは、進入口１９が形成されている天部を傾斜地に沿うようにして埋設して仕掛けることもできる。この場合は、罠本体１の内部や餌が動物から更に見えやすくなり、罠本体１の底部までの落ち込みが少なくなるので、動物が入りやすくなる。更に、罠本体１の底部に土を入れると、動物にとって更に違和感がなくなり、より入りやすくなる。
【００５２】
仕掛け穴４０に箱形罠装置Ａを収容した後、箱形罠装置Ａのトリガー装置２と扉板１５、１６をセットする。セットする手順を主に図６を参照して説明する。
【００５３】
（１）図１に示すように、トリガー装置２を解除し扉板１５、１６を閉じた状態から、まず開扉防止体３を上昇回動させて（矢印ａ１）、掛止機構部２０３により所定の角度（本実施の形態では、水平方向から約６０°）で仮止めしておく（矢印ａ２）。
（２）錘板２３を所定の位置まで上昇させ（矢印ａ３）、餌入れ２５を回して載せ板２５０がほぼ水平になるようにし（矢印ａ４）、錘板２３を降ろして（矢印ａ５）、受部２５０ａで錘板２３の下端を支えるようにする（図５参照）。
なお、餌入れ２５の回動はフリー状態であるために、ここで載せ板２５０に餌６を載せてバランスを取るようにしてもよい。
【００５４】
（３）扉板１５、１６のロック装置１５５、１６５のロックを外し、扉板１５、１６を捻りコイルバネ１８の付勢力に抗して上方へ回動させ（矢印ａ６）、ほぼ垂直位置まで開いて、掛止部１５６、１６６の上端部が、錘板２３に固定されている扉押さえ部材２６の各扉掛止部２６１に外側から掛止するようにする。なお、必要であれば仮止め具２０４を正面方向へ突出させ、掛止部１５６、１６６を外側から掛止して仮止めしておくこともできる。
【００５５】
なお、本実施の形態では、罠セット時において扉板１５、１６をほぼ垂直位置まで開く構造としたが、更に外側へ広角度（例えば側面板１３、１４との角度が１２０〜１３５°程度）に拡げてセットできる構造とすることもできる。これによれば、動物が見て扉板１５、１６による進入口１９の圧迫感が緩和され、動物の警戒心が和らぎ、動物が罠本体１内部により入りやすくなる。
【００５６】
（４）前記開扉防止体３の仮止めを解除して、開扉防止体３を下降回動させ、先端のリブ３２を当接させて扉板１５、１６の補強部１５１、１６１に乗せる（矢印ａ７）。開扉防止体３の重さは、扉板１５、１６にかかっており、罠の作動によって扉板１５、１６が閉じ方向へ下降回動すると、それに伴って開扉防止体３も下降回動するようになっている。
【００５７】
そして、餌入れ２５の載せ板２５０に適量の餌６（図５参照）を載せて、トリガー装置２と扉板１５、１６のセット及び箱形罠装置Ａの仕掛けが完了する。なお、餌は箱形罠装置Ａの周りの地面に動物を箱形罠装置Ａへ誘導できるように撒いておくようにする。
箱形罠装置Ａを仕掛けた状態では、罠本体１の天部（又は進入口１９）を除く全体が土中に隠れて露出していないので、動物の警戒心を和らげることができる。
【００５８】
次に、箱形罠装置Ａが作動するときの各部の動きを説明する。
箱形罠装置Ａは、前記のように仕掛けた状態において、進入口１９が餌６の近くまで大きく開口している。これにより、動物５は夜行性の場合も含め、罠の外部から罠本体１の内部と餌６を見て確認しやすく、従来の罠のように進入口が正面側にあり罠本体の内部や餌が見えにくい罠本体に進入させる場合と比較して、警戒心を和らげることができる。
【００５９】
そして、図５に示すように、動物５は撒かれた餌（図示省略）に誘導されて徐々に箱形罠装置Ａに近付き、ついには進入口１９から罠本体１の内部に進入して、身体全体、すなわち後足までが罠本体１内部に入った状態で罠本体１の奥側（背面板１２近傍）にある餌入れ２５に載せた餌６を食べ始める。
【００６０】
したがって、動物５が罠本体１の内部で餌６を食べている状態では、動物５の周りは底板１０、正面板１１、背面板１２及び側面板１３、１４で囲まれており、逃げ口は進入口１９だけになる。なお、餌入れ２５と底板１０等の間に板を掛けたり、糸を張ったりして、更に作動感度を上げるようにすれば、より小さな動物、例えば獣類に限らずカラス等も捕獲することが可能になる。
【００６１】
動物５が餌６を食べて餌入れ２５の載せ板２５０の正面側が下降回動すると、受部２５０ａで錘板２３が押し上げられ、更に載せ板２５０が同方向へ回動すると、受部２５０ａが錘板２３の下端から外れて、錘板２３を受けた状態が解除される。前記錘板２３が押し上げられることにより、扉押さえ部材２６の各扉掛止部２６１が上昇し、扉板１５、１６の掛止部１５６、１６６から各扉掛止部２６１が外れる。
【００６２】
これにより、まず、扉板１５、１６が捻りコイルバネ１８の付勢力で閉じ方向へ瞬時に下降回動して、ロック装置１５５、１６５が掛止板１１１の板部１１１ａにロックし、進入口１９を塞ぐ。次に、錘板２３が、自重によってガイド部材２０、２０ａのガイド溝２２、２２ａに沿って下降し、錘板２３の把手２４が背面板１２の上端に当たって錘板２３は止まり、錘板２３の扉押さえ部材２６の押さえ部２６０が扉板１５、１６の背面方向の端部に被さる。
【００６３】
更に、扉板１５、１６による支えが外れて、開扉防止体３が下降回動し、先端部のリブ３２が扉板１５、１６の切欠部１５２、１６２に収まって開扉防止体３が垂下状態となり、リブ３２は押さえ部２６０のやや上方に位置する。これにより、扉板１５、１６の開き方向への上昇回動ができないようになり、罠本体１内部の動物は閉じこめられて捕獲される（各部材１５、１６、２６０の下降する順番は、図７（ａ）参照）。
【００６４】
なお、開扉防止体３は、開扉防止体３が下降回動するとき、掛止機構部２０３のラッチ機構によって上方へ戻り回動しない。したがって、扉板１５、１６が閉まりきっていないときに動物が飛び出そうとしても扉板１５、１６がそれ以上開くことはないので、動物の脱出をより確実に防止できる。
【００６５】
また、罠で捕獲した動物の処分は、覗き窓１５３、１６３から内部の動物の様子を確認しながら、慎重に行うようにする。通常は、箱形罠装置Ａを仕掛け穴４０から取り出し、閉じた状態の錘板２３を開けて、別に用意した檻等に移すことにより動物を確保する。
【００６６】
正常な状態ではこのように作動するが、図７（ａ）、（ｂ）、（ｃ）に示すように、箱形罠装置Ａの作動時におけるトリガー装置２の作動の違いにより錘板２３の扉押さえ部材２６と各扉板１５、１６との重なりのパターンが異なる場合がある。
【００６７】
図７（ｂ）に示すパターンは、各扉掛止部２６１と掛止部１５６、１６６の掛かり具合が均等でなかった場合に発生するパターンであり、一方の扉掛止部２６１が扉板１５の掛止部１５６から外れた後、扉板１６の掛止部１６６は外れずに、扉板１５、錘板２３の押さえ部２６０、扉板１６の順番で下降した場合である。この場合も、前記各部材１５、２６０、１６は支障なく重なり合うことができ、開扉防止体３で上方への動きを防止することで、前記通常の場合と同様に作用することができる。
【００６８】
また、図７（ｃ）に示すパターンは、各扉掛止部２６１と掛止部１５６、１６６の掛かり具合が深すぎた場合に発生するパターンであり、錘板２３が上昇しても各扉掛止部２６１が扉板１５、１６の掛止部１５６、１６６から外れずに、錘板２３の押さえ部２６０、扉板１５又は扉板１６の順番で下降した場合である。この場合も、前記各部２６０、１５、１６は支障なく重なり合うことができ、開扉防止体３で上方への動きを防止することで、前記通常の場合及び図７（ｂ）の場合と同様に作用することができる。なお、動物が餌入れ２５の正面側を跳ね上げて錘板２３の支持が解除された場合も、前記と同様の順番で下降するが、同様に作用し特に支障はない。
【００６９】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００７０】
Ａ  箱形罠装置
１  罠本体
１０  底板
１１  正面板
１１０  把手
１１１  掛止板
１１１ａ  板部
１２  背面板
１３、１４  側面板
１３０、１４０  取付板
１３１、１４１  蝶番
１５、１６  扉板
１５０、１６０  補強部
１５１、１６１  補強部
１５２、１６２  切欠部
１５３、１６３  覗き窓
１５４、１６４  把手
１５５、１６５  ロック装置
１５６、１６６  掛止部
１８  捻りコイルバネ
１９  進入口
２  トリガー装置
２０、２０ａ  ガイド部材
２００、２０１  ブラケット
２０２  取付軸
２０３  掛止機構部
２０４  仮止め具
２１、２１ａ  板部
２２、２２ａ  ガイド溝
２３  錘板
２４  把手
２５  餌入れ
２５０  載せ板
２５０ａ  受部
２５１  掛かり板
２５２  脚板
２５３  取付軸
２６  扉押さえ部材
２６０  押さえ部
２６１  扉掛止部
３  開扉防止体
３０、３１  腕部材
３２、３３、３４  リブ
３５  止め板
４  地面
４０  仕掛け穴
５  動物
６  餌
【図１】
2014132877.tif 000003
【図２】
2014132877.tif 000004
【図３】
2014132877.tif 000005
【図４】
2014132877.tif 000006
【図５】
2014132877.tif 000007
【図６】
2014132877.tif 000008
【図７】
2014132877.tif 000009